(57)【要約】      （修正有）【課題】配管支持における作業性・作業コスト、配管の抱持支持力が良好であり、しかも低コストで製造可能な配管支持具を提供する。【解決手段】取付面に沿って配管を抱持固定する配管支持具において、可撓性を有する一枚の板状の金属板から成り、配管軸に直交する方向の一方の端部から他方の端部に向けて該板状材の途中位置まで平行の３本の切込み部により４枚の櫛歯状部を有する櫛状に形成され、第１櫛歯状部１１・第３櫛歯状部１３の各々が切り起こされて配管抱持部２１と成り、第１櫛歯状部の配管抱持部と第３櫛歯状部の配管抱持部が同一位置に同一形状で形成され、第２櫛歯状部１２・第４櫛歯状部１４と櫛歯元部１０とが取付面に取付固定される構成であり、配管抱持部と第２櫛歯状部・第４櫛歯状部との間に配管が挿通されて挟着された状態で抱持支持される構成である。【選択図】図１
2019128003.tif 000002
【特許請求の範囲】
【請求項１】
天井面・壁面・床面の如き取付面に沿って１本又は２本以上の配管を抱持固定する配管支持具において、
配管支持具を構成する板状材が可撓性を有する一枚の金属板から成り、配管軸に直交する方向の一方の端部から他方の端部に向けて該板状材の途中位置まで平行の３本の切込み部により４枚の櫛歯状部を有する櫛状に形成され、この４枚の櫛歯状部が、配管軸方向の一方から他方に向けて順に、第１櫛歯状部、第２櫛歯状部、第３櫛歯状部、第４櫛歯状部と成り、
前記第１櫛歯状部・第３櫛歯状部の各々が、円弧状、半円状、Ω状又はアーチ状のいずれかに切り起こされて１つ又は２つ以上の配管抱持部と成り、
第１櫛歯状部の１つ又は２つ以上の配管抱持部と、第３櫛歯状部の１つ又は２つ以上の配管抱持部と、が配管軸方向から見て同一位置に同一形状で形成されており、
前記第２櫛歯状部・第４櫛歯状部と、前記板状材の他方の端部側の切込み部の無い部分である櫛歯元部と、が前記取付面に取付固定される構成であり、
配管軸方向から見て、前記配管抱持部と第２櫛歯状部・第４櫛歯状部との間に配管が挿通されて該配管抱持部と第２櫛歯状部・第４櫛歯状部との間に配管が挟着された状態で、抱持支持される構成であること、
を特徴とする配管支持具。
【請求項２】
前記第２櫛歯状部・第４櫛歯状部と櫛歯元部に透孔が形成されており、該透孔にボルトの如き固定部材が挿通されて前記取付面に取り付けられる構成であることを特徴とする請求項１に記載の配管支持具。
【請求項３】
１つの配管抱持部に２本以上の配管を抱持する構成であることを特徴とする請求項１又は２に記載の配管支持具。
【請求項４】
前記配管抱持部による配管の抱持範囲が、抱持する配管の半径を超える範囲であることを特徴とする請求項１〜３のいずれかに記載の配管支持具。
【請求項５】
前記第１櫛歯状部と第３櫛歯状部の先端部分が、前記取付面から離れる方向に湾曲又は折曲によって反った状態の構成であることを特徴とする請求項１〜４のいずれかに記載の配管支持具。
【請求項６】
前記第２櫛歯状部・第４櫛歯状部の先端部分が、前記取付面の端部に引掛固定可能に湾曲加工又は折曲加工された構成であることを特徴とする請求項１〜５のいずれかに記載の配管支持具。
【請求項７】
前記第２櫛歯状部・第４櫛歯状部の少なくとも一部に隆起部が形成され、該隆起部が配管抱持部に抱持する配管の外周面であって且つ前記一方の端部側の少なくとも一部に当接可能な構成であること特徴とする請求項１〜６のいずれかに記載の配管支持具。
【発明の詳細な説明】
【技術分野】
【０００１】
本発明は配管支持具に関し、詳しくは天井面・壁面・床面の如き取付面に沿って１本又は２本以上の配管を抱持支持する配管支持具に関する。
【背景技術】
【０００２】
建物等の設備工事において、１本又は２本以上のガス管・給水管・給湯管・回線保護管等の配管類を、天井面・壁面・床面等の取付面に沿って固定する配管支持具としては、配管を抱持する配管抱持部と、取付面に取付固定される取付ベース部と、から成る配管支持具が種々提案されている（例えば、特許文献１及び２等参照。）。
【０００３】
特許文献１に示す技術は、取付面に取付固定される長板状の取付ベース部の上面に、樹脂製の逆Ω字状のサドルバンドを複数取り付け、このサドルバンドに配管を抱持させることによって配管を支持する構成（図１及び図２）、又は、前記取付ベース部の上面に複数本の配管を並列状態で配列させた後に長尺帯状のベルト体をこの複数本の配管の上面を架け渡して該ベルト体の端部と配管間の途中部分を前記取付けベース部に固定することによって配管を支持する構成（図３及び図４）である。
【０００４】
特許文献２に示す技術では、取付面に取付固定される長板状の取付ベース部の上面に複数本の配管を並列状態で配列させた状態で金属製の抱持板を前記配管の外周面に当接させた状態で巻き回して前記取付ベース部に固着することによって配管を支持する構成である。
【先行技術文献】
【特許文献】
【０００５】
【特許文献１】特開２００５−２５６９４５号
【特許文献２】実用新案登録第２５１６７０７号
【発明の概要】
【発明が解決しようとする課題】
【０００６】
特許文献１に示す技術の内、複数個のサドルバンドを取り付ける構成によれば、取付面に複数本の配管を並列状態で支持固定する場合、サドルバンドという取付面に直接取付固定できる配管支持具を取付ベース部に取り付ける工程という余計な工程が必要であるため作業工程・作業時間の短縮化が困難であるという問題点を有し、また、長尺帯状のベルト体を架け渡す構成によれば、配管の振動や経年劣化によってベルト体の一部に損傷・破損・分断・断裂等が生じると当該箇所の配管だけでなく前記ベルト体が抱持する全ての配管の支持固定に弛みや脱落が生じてしまうという問題点を有している。従って、配管支持における作業性・作業コストの点、配管の抱持支持力の点のいずれにおいても不都合を有している。
【０００７】
特許文献２に示す技術によれば、抱持板を配管の外周に当接させた状態で巻き回すと共に取付ベース部に固着する加工を現場にて行う必要があるため加工作業が煩雑であるだけでなく、配管の外周面に当接した状態で抱持することができる巻き回し加工は熟練を要する作業であり、作業効率が著しく低いという問題点を有している。従って、配管支持における作業性・作業コストの点、配管の抱持支持力の点のいずれにおいても不都合を有している。
【０００８】
そこで本発明の課題は、配管支持における作業性・作業コスト、配管の抱持支持力が良好であり、しかも低コストで製造可能な配管支持具を提供することにある。
【課題を解決するための手段】
【０００９】
上記課題を解決する本発明は下記構成を有する。
【００１０】
１．天井面・壁面・床面の如き取付面に沿って１本又は２本以上の配管を抱持固定する配管支持具において、
配管支持具を構成する板状材が可撓性を有する一枚の金属板から成り、配管軸に直交する方向の一方の端部から他方の端部に向けて該板状材の途中位置まで平行の３本の切込み部により４枚の櫛歯状部を有する櫛状に形成され、この４枚の櫛歯状部が、配管軸方向の一方から他方に向けて順に、第１櫛歯状部、第２櫛歯状部、第３櫛歯状部、第４櫛歯状部と成り、
前記第１櫛歯状部・第３櫛歯状部の各々が、円弧状、半円状、Ω状又はアーチ状のいずれかに切り起こされて１つ又は２つ以上の配管抱持部と成り、
第１櫛歯状部の１つ又は２つ以上の配管抱持部と、第３櫛歯状部の１つ又は２つ以上の配管抱持部と、が配管軸方向から見て同一位置に同一形状で形成されており、
前記第２櫛歯状部・第４櫛歯状部と、前記板状材の他方の端部側の切込み部の無い部分である櫛歯元部と、が前記取付面に取付固定される構成であり、
配管軸方向から見て、前記配管抱持部と第２櫛歯状部・第４櫛歯状部との間に配管が挿通されて該配管抱持部と第２櫛歯状部・第４櫛歯状部との間に配管が挟着された状態で、抱持支持される構成であること、
を特徴とする配管支持具。
【００１１】
２．前記第２櫛歯状部・第４櫛歯状部と櫛歯元部に透孔が形成されており、該透孔にボルトの如き固定部材が挿通されて前記取付面に取り付けられる構成であることを特徴とする上記１に記載の配管支持具。
【００１２】
３．１つの配管抱持部に２本以上の配管を抱持する構成であることを特徴とする上記１又は２に記載の配管支持具。
【００１３】
４．前記配管抱持部による配管の抱持範囲が、抱持する配管の半径を超える範囲であることを特徴とする上記１〜３のいずれかに記載の配管支持具。
【００１４】
５．前記第１櫛歯状部と第３櫛歯状部の先端部分が、前記取付面から離れる方向に湾曲又は折曲によって反った状態の構成であることを特徴とする上記１〜４のいずれかに記載の配管支持具。
【００１５】
６．前記第２櫛歯状部・第４櫛歯状部の先端部分が、前記取付面の端部に引掛固定可能に湾曲加工又は折曲加工された構成であることを特徴とする上記１〜５のいずれかに記載の配管支持具。
【００１６】
７．前記第２櫛歯状部・第４櫛歯状部の少なくとも一部に隆起部が形成され、該隆起部が配管抱持部に抱持する配管の外周面であって且つ前記一方の端部側の少なくとも一部に当接可能な構成であること特徴とする上記１〜６のいずれかに記載の配管支持具。
【発明の効果】
【００１７】
請求項１に示す発明によれば、配管支持における作業性・作業コスト、配管の抱持支持力が良好であり、しかも低コストで製造可能な配管支持具を提供することができる。
【００１８】
特に、一枚の金属板を切起し加工と折曲加工して形成された構成のため低コストにより製造することができ、しかも可撓性を有する金属板を用いているため、配管抱持部の撓み性によって該配管抱持部と第２櫛歯状部・第４櫛歯状部との間に抱持した配管が挟着された状態になるので、挿通された配管を安定した状態で確実に且つ防振効果・制振効果を有した状態で抱持支持することができ、更に、簡易な構成によって現場での作業性も良好である。
【００１９】
更に、配管支持具への配管の挿通は、可撓性を有する金属板の撓み性を利用することによって第１櫛歯状部と第３櫛歯状部の先端側である配管抱持部の開放側から該配管抱持部を押し開くようにして配管を圧入することにより抱持支持させることができる。従って、配管の端部から配管支持具を挿通し、該配管支持具を配管支持位置まで位置移動させる等の手間が不要である。
【００２０】
請求項２に示す発明によれば、ボルト・ナット螺合等によって極めて容易に取付面に取付固定することができる。
【００２１】
請求項３に示す発明によれば、２本以上の配管を並列状態で抱持支持することができる。
【００２２】
請求項４に示す発明によれば、配管抱持部が配管を抱え込んだ状態で抱持するので、より安定した抱持支持となる。
【００２３】
請求項５に示す発明によれば、配管抱持部の開放側から該配管抱持部を押し開くようにして配管を圧入する際に、この圧入の導入口部分が拡開した状態となっているので速やか且つ容易に圧入することができる。
【００２４】
請求項６に示す発明によれば、取付面に対する固定強度が向上し、位置ズレが生じ難くなる。取付面が壁面の場合に取付けの際作業性が向上する等、特に有効である。
【００２５】
請求項７に示す発明によれば、配管軸に直交する方向への配管の位置ズレをより確実に防ぐことができる。
【図面の簡単な説明】
【００２６】
【図１】本発明に係る配管支持具の第１実施例を示す５面図（正面図、平面図、底面図、左側面図、右側面図）
【図２】図１に示す配管支持具の使用状態の一例を示す概略正面図（配管軸方向から見た図）
【図３】図２の概略平面図（配管軸に直交し、取付面に正対する方向から見た図）
【図４】本発明に係る配管支持具の第２実施例を示す正面図
【図５】本発明に係る配管支持具の第３実施例を示す正面図
【図６】図５に示す配管支持具の使用状態の一例を示す概略図（配管軸方向から見た図）
【図７】本発明に係る配管支持具の第４実施例を示す正面図
【図８】図７に示す配管支持具の使用状態の一例を示す概略図（配管軸方向から見た図）
【図９】本発明に係る配管支持具の第５実施例を示す正面図
【図１０】本発明に係る配管支持具の第６実施例を示す正面図
【図１１】本発明に係る配管支持具の第７実施例を示す２面図（正面図、平面図）
【発明を実施するための形態】
【００２７】
次に、添付の図面に従って本発明を詳細に説明する。
【００２８】
本発明に係る配管支持具は、１本又は２本以上のガス管・給水管・給湯管・回線保護管等の配管類を防振効果・制振効果を有した状態で抱持し、天井面・壁面・床面等の取付面に沿って支持固定するものである。
【００２９】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００３０】
本発明の配管吊下支持具の具体的構成としては、図１〜図３に示す第１実施例によれば、
天井面・壁面・床面の如き取付面２（本実施例では床面の場合を示す。）に沿って２本の配管Ｐ・Ｐを抱持固定する配管支持具１において、
配管支持具１を構成する板状材が可撓性を有する一枚の金属板から成り、配管軸に直交する方向の一方の端部から他方の端部に向けて該板状材の途中位置まで平行の３本の切込み部により４枚の櫛歯状部１１・１２・１３・１４を有する櫛状に形成され、この４枚の櫛歯状部１１・１２・１３・１４が、配管軸方向の一方から他方に向けて順に、第１櫛歯状部１１、第２櫛歯状部１２、第３櫛歯状部１３、第４櫛歯状部１４と成り、
前記第１櫛歯状部１１・第３櫛歯状部１３の各々が、２連の円弧状に切り起こされて２つの配管抱持部２１Ａ・２１Ｂと配管抱持部２３Ａ・２３Ｂと成り、
第１櫛歯状部１１の２つの配管抱持部２１Ａ・２１Ｂと、第３櫛歯状部１３の２つの配管抱持部２３Ａ・２３Ｂと、が配管軸方向から見て同一位置に同一形状で形成されており、
前記第２櫛歯状部１２・第４櫛歯状部１４と、前記板状材の他方の端部側の切込み部の無い部分である櫛歯元部１０と、が前記取付面２に取付固定される構成であり、
配管軸方向から見て、前記配管抱持部２１Ａ・２３Ａ・２１Ｂ・２３Ｂと第２櫛歯状部１２・第４櫛歯状部１４との間に配管が挿通されて該配管抱持部２１Ａ・２３Ａ・２１Ｂ・２３Ｂと第２櫛歯状部１２・第４櫛歯状部１４との間に配管Ｐが挟着された状態で、抱持支持される構成であること、
を主構成とするものである。
【００３１】
以下、本発明の構成について更に詳説する。
【００３２】
本発明の配管支持具１は、この種の配管支持具に用いられる可撓性を有する金属板として公知公用のものを特別の制限なく用いることができ、好ましくはステンレスやその他の金属製である。
【００３３】
可撓性を有する一枚の金属板に対して切込み部を形成すると共に切り起こすに際して、第１櫛歯状部１１・第３櫛歯状部１３を切起して配管抱持部２１Ａ・２３Ａ・２１Ｂ・２３Ｂを形成するための切起し部は、本実施例では線状を有する切起し線となっているが、第１櫛歯状部１１と第２櫛歯状部１２との間、第２櫛歯状部１２と第３櫛歯状部１３との間、第３櫛歯状部１３と第４櫛歯状部１４との間、の各々が線状ではなく溝状に間隔を設けて切り起こされる構成であってもよい。なお、該溝は同一巾である必要はない。
【００３４】
第１櫛歯状部１１、第２櫛歯状部１２、第３櫛歯状部１３、第４櫛歯状部１４の幅は、本実施例では等しい幅に形成しているが、第１櫛歯状部１１と第３櫛歯状部１３とを同じ幅に形成し、この２枚よりも狭い幅で、又は広い幅で、第２櫛歯状部１２と第４櫛歯状部１４とを同じ幅に形成してもよい。更には、この４枚の幅を全て異なる幅に形成してもよい。
【００３５】
また抱持する配管Ｐの本数は、本実施例では２本であるが、１本又は３本以上であってもよく、抱持する配管Ｐの本数に応じて、更には抱持する配管Ｐの直径に応じて配管抱持部の形状は、円弧状、半円状、Ω状、アーチ状のいずれかの形状に形成される。更に、円弧状や半円状の場合であって２本以上の配管を抱持する場合、本実施例のように２本の配管Ｐ・Ｐを抱持する配管抱持部２１・２３が連設された状態、即ち、２１Ａと２１Ｂ、２３Ａと２３Ｂのように連設した状態とすることによって同時に２本を抱持する構成であることが配管支持作業の効率化や製造コスト等の点で好ましい。
【００３６】
更に、配管抱持部２１Ａ・２１Ｂ・２３Ａ・２３Ｂによる配管Ｐ・Ｐの抱持範囲が、抱持する配管Ｐの半径を超える範囲であること、即ち、第１櫛歯状部１１の先端側の配管抱持部２１Ｂの先端部分１１Ａと、第３櫛歯状部１３の先端側の配管抱持部２３Ｂの先端部分１３Ａの各々が、配管Ｐの半径を超えて取付面２に近接乃至は当接する部分まで延びている構成が好ましい。かかる構成によれば、配管抱持部２１Ｂ・２３Ｂが配管Ｐを抱え込んだ状態で抱持するので、より安定した抱持支持となる（図示せず。）。
【００３７】
取付面２への櫛歯元部１０及び第２櫛歯状部１２・第４櫛歯状部１４の取付固定は、図２及び図３に示す本実施例では、第２櫛歯状部１２・第４櫛歯状部１４に形成されている透孔１２Ａ・１４Ａと櫛歯元部１０に形成されている透孔１０Ａ・１０Ａに、取付面２に配設されている固定部材であるボルト３が挿通されるように取付面２に配管支持具１を取付けた後、ナット４を螺合緊締することにより行われる。尚、透孔１２Ａ・１４Ａ・１０Ａの位置や数は取付面２の形状や設計条件等に応じて適宜変更することができる。尚、本実施例では、ボルト３・ナット４により取付固定したが、本発明はかかる構成に限定されず、例えば、取付面２に雌ネジ穴が形成され、該雌ネジ穴に前記透孔１２Ａ・１４Ａ・１０Ａ・１０Ａに挿通したボルトを螺合緊締する等、公知公用の他の取付固定手段を採ることができる。
【００３８】
以上、本発明に係る配管支持具の第１実施例について説明したが、本発明は上記構成に限定されず、本発明の範囲内において種々の態様を採ることができる。
【００３９】
例えば、図４に示す第２実施例のように、第１櫛歯状部１１と第３櫛歯状部１３の先端部分１１Ａ・１３Ａが、取付面２（や第２櫛歯状部１２・第４櫛歯状部１４）から離れる方向に湾曲又は折曲によって反った状態の構成としてもよい。かかる構成によれば、配管抱持部２１Ｂ・２３Ｂの開放側から該配管抱持部２１Ｂ・２３Ｂを押し開くようにして配管Ｐを圧入する際に、この圧入の導入口部分が拡開した状態となっているので速やか且つ容易に圧入することができる。
【００４０】
また、図５及び図６に示す第３実施例、図７及び図８に示す第４実施例のように、第２櫛歯状部１２・第４櫛歯状部１４の先端部分１２Ｄ・１４Ｄが、取付面２の端部に引掛固定可能に湾曲加工又は折曲加工（第３実施例では略直角に折曲加工。第４実施例では湾曲加工。）された構成としてもよい。かかる構成によれば、取付面２に対する固定強度が向上し、位置ズレが生じ難くなる。特に図６及び図８に示すように、取付面２が壁面の場合には取付時に取付面２である壁面の上端に先端部分１２Ｄ・１４Ｄを引っ掛けた後に固定作業を行うことができるので作業性等が向上するため有効である。
【００４１】
更に、前述したように抱持する配管Ｐの本数は２本に限定されず、１本又は３本以上であってもよい。例えば、図９に示す第５実施例は、３本の配管Ｐ・Ｐ・Ｐをアーチ状の配管抱持部２１（２３）によって抱持する構成であり、図１０に示す第６実施例は、１本の配管ＰをΩ状の配管抱持部２１（２３）によって抱持する構成である。
【００４２】
更にまた、図１１に示す第７実施例のように、第２櫛歯状部１２・第４櫛歯状部１４の少なくとも一部に隆起部１２Ｂ・１４Ｂ・１２Ｃ・１４Ｃを形成し、隆起部１２Ｂ・１４Ｂが配管抱持部２１Ａ・２３Ａに抱持する配管Ｐの外周面であって且つ前記一方の端部側の少なくとも一部に当接し、隆起部１２Ｃ・１４Ｃが配管抱持部２１Ｂ・２３Ｂに抱持する配管Ｐの外周面であって且つ前記一方の端部側の少なくとも一部に当接する構成としてもよい。かかる構成によれば、配管軸に直交する方向（図１１において特に右方向）への配管Ｐ・Ｐの位置ズレをより確実に防ぐことができる。
【符号の説明】
【００４３】
１  配管支持具
１０  櫛歯元部
１０Ａ  透孔
１１  第１櫛歯状部
１１Ａ  先端部分
１２  第２櫛歯状部
１２Ａ  透孔
１２Ｂ  隆起部
１２Ｃ  隆起部
１２Ｄ  先端部分
１３  第３櫛歯状部
１３Ａ  先端部分
１４  第４櫛歯状部
１４Ａ  透孔
１４Ｂ  隆起部
１４Ｃ  隆起部
１４Ｄ  先端部分
２  取付面
２１  配管抱持部
２１Ａ  配管抱持部
２１Ｂ  配管抱持部
２３  配管抱持部
２３Ａ  配管抱持部
２３Ｂ  配管抱持部
３  ボルト
４  ナット
Ｐ  配管
【図１】
2019128003.tif 000003
【図２】
2019128003.tif 000004
【図３】
2019128003.tif 000005
【図４】
2019128003.tif 000006
【図５】
2019128003.tif 000007
【図６】
2019128003.tif 000008
【図７】
2019128003.tif 000009
【図８】
2019128003.tif 000010
【図９】
2019128003.tif 000011
【図１０】
2019128003.tif 000012
【図１１】
2019128003.tif 000013
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
取付面に沿って１本又は２本以上の配管を抱持固定する配管支持具において、
配管支持具を構成する板状材が可撓性を有する一枚の金属板から成り、配管軸に直交する方向の一方の端部から他方の端部に向けて該板状材の途中位置まで平行の３本の切込み部により４枚の櫛歯状部を有する櫛状に形成され、この４枚の櫛歯状部が、配管軸方向の一方から他方に向けて順に、第１櫛歯状部、第２櫛歯状部、第３櫛歯状部、第４櫛歯状部と成り、
前記第１櫛歯状部・第３櫛歯状部の各々が、円弧状、半円状、Ω状又はアーチ状のいずれかに切り起こされて１つ又は２つ以上の配管抱持部と成り、
第１櫛歯状部の１つ又は２つ以上の配管抱持部と、第３櫛歯状部の１つ又は２つ以上の配管抱持部と、が配管軸方向から見て同一位置に同一形状で形成されており、
前記第２櫛歯状部・第４櫛歯状部と、前記板状材の他方の端部側の切込み部の無い部分である櫛歯元部と、が前記取付面に取付固定される構成であり、
配管軸方向から見て、前記配管抱持部と第２櫛歯状部・第４櫛歯状部との間に配管が挿通されて該配管抱持部と第２櫛歯状部・第４櫛歯状部との間に配管が挟着された状態で、抱持支持される構成であり、
前記第２櫛歯状部・第４櫛歯状部と櫛歯元部に透孔が形成されており、該透孔に固定部材が挿通されて前記取付面に取り付けられる構成であることを特徴とする配管支持具。
【請求項２】
１つの配管抱持部に２本以上の配管を抱持する構成であることを特徴とする請求項１に記載の配管支持具。
【請求項３】
前記配管抱持部による配管の抱持距離が、抱持する配管の半径を抱持する距離を超えることを特徴とする請求項１又は２に記載の配管支持具。
【請求項４】
前記第１櫛歯状部と第３櫛歯状部の先端部分が、前記取付面から離れる方向に湾曲又は折曲によって反った状態の構成であることを特徴とする請求項１〜３のいずれかに記載の配管支持具。
【請求項５】
前記第２櫛歯状部・第４櫛歯状部の先端部分が、前記取付面の端部に引掛固定可能に湾曲加工又は折曲加工された構成であることを特徴とする請求項１〜４のいずれかに記載の配管支持具。
【請求項６】
前記第２櫛歯状部・第４櫛歯状部の少なくとも一部に隆起部が形成され、該隆起部が配管抱持部に抱持する配管の外周面であって且つ前記一方の端部側の少なくとも一部に当接可能な構成であること特徴とする請求項１〜５のいずれかに記載の配管支持具。
【手続補正２】
【補正対象書類名】明細書
【補正対象項目名】００１０
【補正方法】変更
【補正の内容】
【００１０】
１．取付面に沿って１本又は２本以上の配管を抱持固定する配管支持具において、
配管支持具を構成する板状材が可撓性を有する一枚の金属板から成り、配管軸に直交する方向の一方の端部から他方の端部に向けて該板状材の途中位置まで平行の３本の切込み部により４枚の櫛歯状部を有する櫛状に形成され、この４枚の櫛歯状部が、配管軸方向の一方から他方に向けて順に、第１櫛歯状部、第２櫛歯状部、第３櫛歯状部、第４櫛歯状部と成り、
前記第１櫛歯状部・第３櫛歯状部の各々が、円弧状、半円状、Ω状又はアーチ状のいずれかに切り起こされて１つ又は２つ以上の配管抱持部と成り、
第１櫛歯状部の１つ又は２つ以上の配管抱持部と、第３櫛歯状部の１つ又は２つ以上の配管抱持部と、が配管軸方向から見て同一位置に同一形状で形成されており、
前記第２櫛歯状部・第４櫛歯状部と、前記板状材の他方の端部側の切込み部の無い部分である櫛歯元部と、が前記取付面に取付固定される構成であり、
配管軸方向から見て、前記配管抱持部と第２櫛歯状部・第４櫛歯状部との間に配管が挿通されて該配管抱持部と第２櫛歯状部・第４櫛歯状部との間に配管が挟着された状態で、抱持支持される構成であり、
前記第２櫛歯状部・第４櫛歯状部と櫛歯元部に透孔が形成されており、該透孔に固定部材が挿通されて前記取付面に取り付けられる構成であることを特徴とする配管支持具。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
２．１つの配管抱持部に２本以上の配管を抱持する構成であることを特徴とする上記１に記載の配管支持具。
【手続補正５】
【補正対象書類名】明細書
【補正対象項目名】００１３
【補正方法】変更
【補正の内容】
【００１３】
３．前記配管抱持部による配管の抱持距離が、抱持する配管の半径を抱持する距離を超えることを特徴とする上記１又は２に記載の配管支持具。
【手続補正６】
【補正対象書類名】明細書
【補正対象項目名】００１４
【補正方法】変更
【補正の内容】
【００１４】
４．前記第１櫛歯状部と第３櫛歯状部の先端部分が、前記取付面から離れる方向に湾曲又は折曲によって反った状態の構成であることを特徴とする上記１〜３のいずれかに記載の配管支持具。
【手続補正７】
【補正対象書類名】明細書
【補正対象項目名】００１５
【補正方法】変更
【補正の内容】
【００１５】
５．前記第２櫛歯状部・第４櫛歯状部の先端部分が、前記取付面の端部に引掛固定可能に湾曲加工又は折曲加工された構成であることを特徴とする上記１〜４のいずれかに記載の配管支持具。
【手続補正８】
【補正対象書類名】明細書
【補正対象項目名】００１６
【補正方法】変更
【補正の内容】
【００１６】
６．前記第２櫛歯状部・第４櫛歯状部の少なくとも一部に隆起部が形成され、該隆起部が配管抱持部に抱持する配管の外周面であって且つ前記一方の端部側の少なくとも一部に当接可能な構成であること特徴とする上記１〜５のいずれかに記載の配管支持具。
【手続補正９】
【補正対象書類名】明細書
【補正対象項目名】００２０
【補正方法】変更
【補正の内容】
【００２０】
また更に、請求項１に示す発明によれば、ボルト・ナット螺合等によって極めて容易に取付面に取付固定することができる。
【手続補正１０】
【補正対象書類名】明細書
【補正対象項目名】００２１
【補正方法】変更
【補正の内容】
【００２１】
請求項２に示す発明によれば、２本以上の配管を並列状態で抱持支持することができる。
【手続補正１１】
【補正対象書類名】明細書
【補正対象項目名】００２２
【補正方法】変更
【補正の内容】
【００２２】
請求項３に示す発明によれば、配管抱持部が配管を抱え込んだ状態で抱持するので、より安定した抱持支持となる。
【手続補正１２】
【補正対象書類名】明細書
【補正対象項目名】００２３
【補正方法】変更
【補正の内容】
【００２３】
請求項４に示す発明によれば、配管抱持部の開放側から該配管抱持部を押し開くようにして配管を圧入する際に、この圧入の導入口部分が拡開した状態となっているので速やか且つ容易に圧入することができる。
【手続補正１３】
【補正対象書類名】明細書
【補正対象項目名】００２４
【補正方法】変更
【補正の内容】
【００２４】
請求項５に示す発明によれば、取付面に対する固定強度が向上し、位置ズレが生じ難くなる。取付面が壁面の場合に取付けの際作業性が向上する等、特に有効である。
【手続補正１４】
【補正対象書類名】明細書
【補正対象項目名】００２５
【補正方法】変更
【補正の内容】
【００２５】
請求項６に示す発明によれば、配管軸に直交する方向への配管の位置ズレをより防ぐことができる。